(57)【要約】【課題】  袋の内側に折り込まれた底部が押し広がって自立を可能にした包装用袋において、底部の簡単な構造により商品陳列の省スペース化を促進し自立安定性を高めた包装用袋を提供する。【解決手段】  底部８の内側に折り込まれたガゼット２押し拡がって自立を可能にした包装用袋において、  前記底部８に、前記ガゼット２の拡がりを抑制する凸型のシール部１１を袋の表裏中央部に１箇所ずつ若しくは表裏中央部寄りに複数箇所ずつ設けたことを特徴とする自立安定性を高めた包装用袋である。【選択図】        図１
2005335795.tif 000002
【特許請求の範囲】
【請求項１】
底部の内側に折り込まれたガゼットが押し拡がって自立を可能にした包装用袋において、前記底部に、前記ガゼットの拡がりを抑制する凸型のシール部を袋の表裏中央部に１箇所ずつ若しくは表裏中央部寄りに複数箇所ずつ設けたことを特徴とする自立安定性を高めた包装用袋。
【請求項２】
請求項１に記載の自立安定性を高めた包装用袋において、底部は下方端部が接着されて剛性が付与されており、その左右両側の下方端部に比し中央の下方端部を長くして左右両側の下方端部と中央の下方端部とは段差を有し、かつ、前記中央の下方端部と左右両側の下方端部との間に渡って左右両側の下方端部よりも上方に繰り抜かれた欠除部を設けたことを特徴とする自立安定性を高めた包装用袋。
【請求項３】
上方の開口部に、この開口部を再開閉するためのファスナーを設けたことを特徴とする請求項１乃至２の何れかに記載の自立安定性を高めた包装用袋。
【発明の詳細な説明】
【技術分野】
【０００１】
本発明は、底部の内側に折り込んだガゼットが内容物を包入することにより押し拡がって自立を可能にした包装用袋に関し、その底部の構造を改良して商品陳列の省スペース化を促進し自立安定性を高めた包装用袋に関するものである。
【背景技術】
【０００２】
従来、図５で示すように、袋２０の底部の内側に折り込まれたガゼット２１を船底形状シール２２した底部が押し拡がって自立を可能にした包装用袋として、例えば、特公昭４０−９７０４号公報（特許文献１）、特開２００１−７２０８０号公報（特許文献２）、特開２００１−７２０８１号公報（特許文献３）が提供されている。
【０００３】
これらは、袋の底部の内側に折り込まれたガゼットを有していない袋に比べれば、内容物を包入することにより袋２０の内側に折り込まれたガゼット２１が押し拡がって自立性を有しているが、内容物を包入することにより底部の中央下方端部２３ａが図５（Ｂ）で示すように、厚み方向に膨らむ。そして、袋が自立することによって内容物が下方に集中し、この膨らみ傾向は助長されることになる。一方、図５（Ａ）、（Ｂ）で示すように、この膨らみにより左右両側の下方端部２３ｂが内側に引き寄せられ左右両側の下方端部２３ｂより前記中央下方端部２３ａが浮き上がった形態となる。その結果袋２０の底部は下方端部２３ｂが接地点となり、これを支点にして袋２０は前記中央下方端部２３ａが浮き上がった隙間分で厚み方向に揺動してガタツキが生じ、店頭等での陳列の場合に不安定な自立状態で、この揺動により内容物が大きく移動して転倒したりする場合が出てくる。ししかも助長された膨らみはより広いスペースを必要とし、また、外観上も好ましくない問題があった。
【特許文献１】特公昭４０−９７０４号公報
【特許文献２】特開２００１−７２０８０号公報
【特許文献３】特開２００１−７２０８１号公報
【発明の開示】
【発明が解決しようとする課題】
【０００４】
本発明は、底部の簡単な構造により従来の自立不安定な問題点を解消し自立安定性を高めた包装用袋を提供することである。
【課題を解決するための手段】
【０００５】
上記の課題を解決するための本発明は、請求項１に記載の通り、底部の内側に折り込まれたガゼットが押し拡がって自立を可能にした包装用袋において、前記底部に、前記ガゼットの拡がりを抑制する凸型のシール部を袋の表裏中央部に１箇所ずつ若しくは表裏中央部寄りに複数箇所ずつ設けたことを特徴とするものである。
【０００６】
請求項２に記載の通り、前記請求項１の包装用袋において、底部は下方端部が接着されて剛性が付与されており、その左右両側の下方端部に比し中央の下方端部を長くして左右両側の下方端部と中央の下方端部とは段差を有し、かつ、前記中央の下方端部と左右両側の下方端部との間に渡って左右両側の下方端部よりも上方に繰り抜かれた欠除部を設けたことを特徴とするものである。
【０００７】
請求項３に記載の通り、前記請求項１乃至２の何れかに記載の包装用袋において、上方の開口部に、この開口部を再開閉するためのファスナーを設けたことを特徴とするものである。
【発明の効果】
【０００８】
本発明は、袋内に包入した内容物により底部が厚み方向に膨らんで自立を可能とし、袋を自立させることによって助長される内容物の下方集中によるガゼットの膨らみを、凸型のシール部を袋の表裏中央部に１箇所ずつ若しくは表裏中央部寄りに複数箇所ずつ設けることによって抑制することにより、内容物の移動範囲を小さくすると共に商品陳列の省スペース化を促進し、また、陳列時の外観を好ましいものとする。さらに、これに加えて、左右両側の下方端部に比し中央の下方端部を長くして左右両側の下方端部と中央の下方端部とに形成した段差と、中央の下方端部と左右両側の下方端部との間に渡って左右両側の下方端部よりも上方に繰り抜かれた欠除部とによる底部の形態によってガゼットが拡開した状態で中央の下方端部と左右両側の下方端部とが略均等な接地状態を確保し自立安定性を高める効果を有している。
【発明を実施するための最良の形態】
【０００９】
以下本発明を実施するための最良の形態を図面に基づいて説明する。図１において、１は合成樹脂複層素材乃至合成樹脂を含む各種複層素材よりなる包装用袋であり、底部８には包装用袋１の内側に折り込まれたガゼット２が船底形状シール３とサイドシール４とによって拡開可能に設けられ、従って、底部８の下方端部はその所要部が接着されて剛性が付与されている。
【実施例１】
【００１０】
本発明は、前記底部８の船底形状シール３に、包装用袋１内に包入した内容物が下方に集中してにより前記底部８が厚み方向に極度に膨らむことを阻止するために前記ガゼット２の拡がりを抑制する凸型のシール部１１を設けたことである。
【００１１】
この凸型のシール部１１の位置及び箇所数は、図１で示すように、袋の表裏中央部に１箇所ずつ設けたり、あるいは、図２で示すように、中央下方端部５ａ寄りに複数箇所ずつ設ける。要するに、底部８の拡がりを抑制するためのポイントとなる箇所は膨らみを抑える位置に凸型のシール部１１を設ける。
【００１２】
この凸型のシール部１１を前記の位置に設けることにより、前記の位置においてガゼット２の拡がりが抑制される。従って、前記ポイントとなる箇所の極度の膨らみが解消され、商品陳列の省スペース化が促進され、また、陳列時の外観が好ましいものとなる。前記凸型のシール部１１は図示のように弧状のものとすることが望ましい。こうすることにより特定箇所への加重の集中が回避され底部８よりの剥離破袋の発生が可及的に防止される。尚、この凸型のシール部１１によって底部８の下方端部が強化され、剛性がより一層付与され、後述の自立安定性を高める上で貢献する。
【実施例２】
【００１３】
本発明は、上記実施例１の構成に加えて、前記底部８は左右両側の下方端部５ｂに比し中央の下方端部５ａを長くして左右両側の下方端部５ｂと中央の下方端部５ａとは段差６を形成している。この段差６は包装用袋１の大小、底部８の拡開サイズ、内容物の重量等を考慮して適正に設定されるが、Ａ５サイズ程度の大きさの袋の場合５ｍｍ前後の段差が適当である。
【００１４】
さらに、前記中央の下方端部５ａと左右両側の下方端部５ｂとの間に渡って左右両側の下方端部５ｂよりも上方に波状の彎曲形状に繰り抜かれた欠除部７を設けた形態である。尚、通常は袋を平面に陳列することから、中央の下方端部５ａは図１、図２に示すように、ガゼット２の折り込み線と平行に設定されることで、自立が安定する。
【００１５】
上記包装用袋１の開口部９は、顧客が手にする時点では多くの場合、開封を必要とする状態にあるから、ノッチ、薄肉線、ミシン目、傷痕群等により開封をし易くする配慮が為されることが望ましい。また、図１乃至図３で示すように、開口部９を再開閉するためのファスナー１０を設けた袋であってもよい。
【００１６】
この実施例２は上記実施例１の作用に加えて、包装用袋１内に内容物を包入することで底部８のガゼット２が押し拡がり中央の下方端部５ａが膨らみ厚みができて自立状態となる。この中央の下方端部５ａが膨らむことにより左右両側の下方端部５ｂを内側に引き寄せようとする力が生じるが、この左右両側の下方端部５ｂを内側に引き寄せようとする力を、中央の下方端部５ａと左右両側の下方端部５ｂとの間に渡って左右両側の下方端部５ｂよりも上方に波状の彎曲形状に繰り抜かれた欠除部７で遮断し、これによって図３で示すように、左右両側の下方端部５ｂは内側に引き寄せられることなく、その独立性が確保されて自立を安定させる。
【００１７】
さらには、左右両側の下方端部５ｂに比し中央の下方端部５ａを長くして左右両側の下方端部５ｂと中央の下方端部５ａとに段差６を設けたことによって、中央の下方端部５ａの浮き上がりが防止される。すなわち、左右両側の下方端部５ｂの接地点を支点にして中央の下方端部５ａが浮き上がった隙間分で厚み方向に揺動するガタつきが押えられ、幅広で剛性を有する中央の下方端部５ａと、同じく剛性を有し前述のように独立性が確保された左右両側の下方端部５ｂとの荷重分散により、極めて安定性の高い自立機能を果たせしめるものである。
【００１８】
このように、段差６を適当ならしめることによって、幅広で剛性を有する中央の下方端部５ａと、同じく剛性を有し前述のように独立性が確保された左右両側の下方端部５ｂとの荷重分散を図ることができるようにすることが望ましいが、横幅のある袋や折り込みの深い袋にあっては、左右両側の下方端部５ｂが内側に引き寄せられないようにするだけで、必要十分な自立安定性が得られるような場合もあるから、左右両側の下方端部５ｂの接地は必須要件ではないものである。
【００１９】
上記の実施形態では、中央の下方端部５ａと左右両側の下方端部５ｂとの間に渡って左右両側の下方端部５ｂよりも上方に繰り抜かれた欠除部７を図１では欠除を目立たなくしたなだらかな傾斜線のへの字形や図２の波状の彎曲形状で説明したが、図４で示すように多種の形状としても本発明の作用効果が得られる。
【００２０】
その変形例として、図４（Ａ）の円形の欠除部７、図４（Ｂ）の角形の欠除部７、図４（Ｃ）のヘの字形の欠除部７及び図４（Ｄ）の台形の欠除部７とすることもできる。この他本発明の趣旨に則った見栄えをよくするデザインの採用、足場を固める設計変更がなされてよい。何れの形態にしても底部８に凸型のシール部１１を袋の表裏中央部に１箇所ずつ若しくは中央下方端部５ａ寄りに複数箇所ずつ設ける。
【００２１】
凸型のシール部１１を底部８の表裏中央の下方端部５ａ寄りに複数箇所設ずつ設ける場合は、欠除部７の位置をこの凸型のシール部１１の位置の持ってくるようにしても良い。こうすることにより欠除部７がシール範囲を超えて形成される弊害や、欠除部７と隣設するシール部の剥離破袋の問題を防止することができる。
【産業上の利用可能性】
【００２２】
本発明による包装用袋１は固体や液体等の各種の内容物を包入するが、開口部の開口状態で水や湯の注入を必要とするアルファ化穀類などの個食用包装袋に適用すれば、水や湯の注入の際に水や湯を溢流することなく自立安定した状態で注入することができ、安全性に配慮されたアルファ化穀類などの個食用包装を提供することができる。
【図面の簡単な説明】
【００２３】
【図１】本発明による包装用袋の正面図
【図２】本発明による包装用袋の正面図
【図３】本発明による包装用袋に内容物を包入した状態の斜視図
【図４】本発明の他の実施例を示す要部の正面図
【図５】従来一般の包装用袋の問題点を示す図
【符号の説明】
【００２４】
１      包装用袋
２      ガゼット
３      船底形状シール
４      サイドシール
５ａ    中央の下方端部
５ｂ    左右両側の下方端部
６      段差
７      欠除部 
８      底部
９      開口部
１０      ファスナー
１１      凸型シール部
【図１】
2005335795.tif 000003
【図２】
2005335795.tif 000004
【図３】
2005335795.tif 000005
【図４】
2005335795.tif 000006
【図５】
2005335795.tif 000007